(57)【特許請求の範囲】
【請求項１】
コンクリート基礎と土台の間に配設されるパッキン部材に形成された穴部又はパッキン部材間に形成される空間に挿入され、コンクリート基礎と土台の間の位置で仮固定される挿入片と、該挿入片から延設して一体に設けられ、取付前の外装材を該外装材の下端面が載置されることによって仮支持する支持部と、該支持部の端部から横方向の両側に延設して一体に設けられた離脱用操作部とを備えてなることを特徴とする外装材の仮支持部材。
【請求項２】
前記挿入片の基端部の上下面が平行に形成されてなり、かつ、先端側の高さ寸法が、基端部よりも小さく形成されてなることを特徴とする請求項１に記載の外装材の仮支持部材。
【請求項３】
前記挿入片の基端部を、２段形状に形成してなることを特徴とする請求項１又は２に記載の外装材の仮支持部材。
【発明の詳細な説明】
【技術分野】
【０００１】
本発明は、外装材の仮支持部材に関し、特に、コンクリート基礎と土台の間に配設されるパッキン部材と組み合わせて用いられる外装材の仮支持部材に関するものである。
【背景技術】
【０００２】
従来、木造住宅を建築する場合、コンクリート基礎を作り、その上に木製の土台を固定し、木製土台の上に柱を立て、柱の上に梁を載せ、土台、柱及び梁に外装材を取り付けるようにしていた。
【０００３】
一方、床下空間の換気性を向上させたり、木製の土台の腐食を防止するため等の目的で、図５に示すように、コンクリート基礎１と木製の土台２の間に、所謂「基礎パッキン」と呼ばれる無機材料と合成樹脂材料との複合材料や金属材料からなる厚板形状の部材からなるパッキン部材３を配設することが提案され、実用化されている（例えば、特許文献１参照。）。
【先行技術文献】
【特許文献】
【０００４】
【特許文献１】特開２００４−２１８４２８号公報
【発明の概要】
【発明が解決しようとする課題】
【０００５】
ところで、上記パッキン部材３を用いる場合を含め、木造住宅を建築する際に、外装材５を土台２や柱４に取り付けるに当たっては、取付が完了するまで外装材５を建築作業者が所定の取付位置に保持する必要があり、手数を要するとともに、取付精度の点でも問題があった。
【０００６】
本発明は、上記従来の外装材を土台や柱に取り付ける際の問題点に鑑み、外装材を簡易かつ精度良く取り付けることができるようにするための外装材の仮支持部材を提供することを目的とする。
【課題を解決するための手段】
【０００７】
上記目的を達成するため、本発明の外装材の仮支持部材は、コンクリート基礎と土台の間に配設されるパッキン部材に形成された穴部又はパッキン部材間に形成される空間に挿入され、コンクリート基礎と土台の間の位置で仮固定される挿入片と、該挿入片から延設して一体に設けられ、取付前の外装材を該外装材の下端面が載置されることによって仮支持する支持部とを備えてなることを特徴とする。
【０００８】
この場合において、前記挿入片の基端部の上下面が平行に形成されてなり、かつ、先端側の高さ寸法が、基端部よりも小さく形成されてなるようにすることができる。
【０００９】
また、前記支持部の端部から横方向に延設して一体に操作部を設けてなるようにすることができる。
【発明の効果】
【００１０】
本発明の外装材の仮支持部材によれば、コンクリート基礎と土台の間に配設されるパッキン部材に形成された穴部又はパッキン部材間に形成される空間に挿入され、コンクリート基礎と土台の間の位置で仮固定される挿入片と、該挿入片から延設して一体に設けられ、取付前の外装材を該外装材の下端面が載置されることによって仮支持する支持部とを備えてなる仮支持部材を、コンクリート基礎と土台の間に配設されるパッキン部材と組み合わせて用いることにより、外装材を取り付けるに当たって、取付が完了するまで外装材を仮支持部材によって所定の取付位置に仮支持することができ、外装材を簡易かつ精度良く取り付けることができる。
【００１１】
また、前記挿入片の基端部の上下面が平行に形成されてなり、かつ、先端側の高さ寸法が、基端部よりも小さく形成されてなるようにすることにより、仮支持部材のパッキン部材に形成された穴部又はパッキン部材間に形成される空間への挿入及び仮支持部材の穴部又は空間からの離脱を簡易に行うことができるとともに、仮支持部材のコンクリート基礎と土台の間への仮固定を強固に行うことができる。
【００１２】
また、前記支持部の端部から横方向に延設して一体に操作部を設けてなるようにすることにより、仮支持部材の穴部又は空間からの離脱を簡易に行うことができる。
【図面の簡単な説明】
【００１３】
【図１】本発明の外装材の仮支持部材の一実施例を示し、（ａ）は正面図、（ｂ）は平面図、（ｃ）は背面図、（ｄ）は右側面図、（ｅ）は縦断面図、（ｆ）は底面図、（ｇ）は支持部の断面図である。
【図２】同斜視図である。
【図３】本発明の外装材の仮支持部材の使用方法を示す説明図である。
【図４】同要部の説明図である。
【図５】従来のパッキン部材を配設した木造住宅の構造を示す説明図である。
【図６】本発明の外装材の仮支持部材の使用方法を示す要部の説明図で、（ａ）は、外装材の仮支持部材の装着方法を示す斜視図、（ｂ）は外装材の仮支持部材を示す斜視図、（ｃ）は同底面側から見た斜視図である。
【発明を実施するための形態】
【００１４】
以下、本発明の外装材の仮支持部材の実施の形態を、図面に基づいて説明する。
【００１５】
図１〜図４に、本発明の外装材の仮支持部材の一実施例を示す。
この外装材５の仮支持部材６は、コンクリート基礎１と土台２の間に配設されるパッキン部材３と組み合わせて用いられるもので、コンクリート基礎１と土台２の間に配設されるパッキン部材３に形成された穴部３１（又はパッキン部材３間に形成される空間）に挿入され、コンクリート基礎１と土台２の間の位置で仮固定される挿入片６１と、この挿入片６１から延設して一体に設けられ、取付前の外装材５を外装材５の下端面が載置されることによって仮支持する支持部６２とを備えるようにしている。
【００１６】
この仮支持部材６は、ポリスチレン等のスチレン系樹脂、ポリプロピレン等のポリオレフィン樹脂、ナイロン等のポリアミド樹脂等の合成樹脂による成型品のほか、アルミニウム、亜鉛等の金属によるダイキャスト成型品を用いることができる。
【００１７】
この場合において、仮支持部材６は、挿入片６１の基端部６１ａの上下面が平行に形成され、かつ、先端側の高さ寸法が、基端部６１ａよりも小さく形成されるように、好ましくは、先端側の高さ寸法が、漸次減少するように形成されるようにし、より好ましくは、面取り６１ｂを施すようにすることができる。
ここで、上下面を平行に形成するようにした挿入片６１の基端部６１ａの高さ寸法は、コンクリート基礎１と土台２の間に配設されるパッキン部材３に形成された穴部３１の高さ寸法又はパッキン部材３の高さ寸法と、略同じ寸法に設定するようにする。
なお、本実施例の仮支持部材６においては、上下面を平行に形成する挿入片６１の基端部６１ａを、２段形状に形成することによって、パッキン部材３に形成された穴部３１の高さ寸法及び／又はパッキン部材３の高さ寸法の異なる２つの寸法に対応することができるようにしている。
これにより、仮支持部材６のコンクリート基礎１と土台２の間に配設されるパッキン部材３に形成された穴部３１又はパッキン部材３間に形成される空間への挿入及び仮支持部材６の同穴部３１又は空間からの離脱を簡易に行うことができるとともに、仮支持部材６のコンクリート基礎１と土台２の間への仮固定を強固に行うことができる。
【００１８】
また、仮支持部材６は、支持部６２の端部から横方向に延設して一体に操作部６３を設けるようにすることができる。
これにより、操作部６３を適宜の工具を用いて容易に操作することができ、仮支持部材６のコンクリート基礎１と土台２の間に配設されるパッキン部材３に形成された穴部３１又はパッキン部材３間に形成される空間からの離脱を簡易に行うことができる。
【００１９】
また、仮支持部材６は、操作部６３の上面に、仮支持部材６の上下方向の方向性、具体的には、支持部６２の平坦側を示す表示部６４（具体的には、「上」の表示。）を設けるようにすることができる。
これにより、仮支持部材６の使用時に、上下方向を誤って使用することを防止することができる。
【００２０】
この外装材５の仮支持部材６は、コンクリート基礎１と土台２の間に配設されるパッキン部材３と組み合わせて用いることにより、外装材５を土台２や柱４に取り付けるに当たって、取付が完了するまで外装材５を仮支持部材６の支持部６２によって所定の取付位置に仮支持することができ、これによって、外装材５を簡易かつ精度良く取り付けることができる。
【００２１】
ところで、この実施例において、仮支持部材６を装着するパッキン部材３は、コンクリート基礎１と土台２の間に配設されたパッキン部材３を通して通気が行われるように、パッキン部材３の幅方向に貫通する多数の通気孔が形成されたものを使用し、通気孔を仮支持部材６の挿入片６１が挿入される穴部３１として利用するようにしたが、通気孔が形成されていない、コンクリート基礎１と土台２の間が気密状態に維持されるようにするパッキン部材の場合にも、仮支持部材６を装着するようにすることができる。
【００２２】
具体的には、例えば、図６に示すように、パッキン部材３の仮支持部材６の空間を挟んで長手方向に並設するようにした荷重支持片３２を構成する長手方向に延びる内側縦片３２ａと、この内側縦片３２ａの上端及び下端から延設した上側水平片３２ｂ及び下側水平片３２ｃとによって、コンクリート基礎１と土台２の間が気密状態に維持されるようにしたパッキン部材３において、パッキン部材３の長手方向に延びる外側縦片３２ｄに、仮支持部材６の挿入片６１が挿入される穴部３１（当該穴部３１は、内側縦片３２ａを貫通しない。）を形成するようにし、この穴部３１に仮支持部材６の挿入片６１が挿入することで、仮支持部材６をパッキン部材３に装着するようにすることができる。
【００２３】
ここで、仮支持部材６は、特に限定されるものではないが、挿入片６１を中央が長い３つ叉形状に形成し、仮支持部材６は、これに対応した３つの穴からなる穴部３１を形成するようにしている。
【００２４】
また、穴部３１を形成する仮支持部材６の位置は、仮支持部材６の空間を挟んで長手方向に並設するようにした荷重支持片３２を接続する接続片３３の位置に合わせることで、穴部３１を形成することによるパッキン部材３の強度の低下を低減するようにしている。
【００２５】
このようにすることで、コンクリート基礎１と土台２の間が気密状態に維持されるようにするパッキン部材３の場合でも、通気孔が形成されたパッキン部材３と同様に、仮支持部材６を装着することができる。
【００２６】
以上、本発明の外装材の仮支持部材について、その実施例に基づいて説明したが、本発明は上記実施例に記載した構成に限定されるものではなく、その趣旨を逸脱しない範囲において適宜その構成を変更することができるものである。
【産業上の利用可能性】
【００２７】
本発明の外装材の仮支持部材は、外装材を簡易かつ精度良く取り付けることができるものであることから、木造住宅を建築する場合等で、コンクリート基礎と土台の間に配設されるパッキン部材と組み合わせて、外装材を取り付ける用途に好適に用いることができる。
【符号の説明】
【００２８】
１  コンクリート基礎
２  土台
３  パッキン部材
４  柱
５  外装材
６  仮支持部材
６１  挿入片
６２  支持部
６３  操作部
６４  表示部
【図１】
0006801864.tif 000002
【図２】
0006801864.tif 000003
【図３】
0006801864.tif 000004
【図４】
0006801864.tif 000005
【図５】
0006801864.tif 000006
【図６】
0006801864.tif 000007